(57)【要約】【課題】緑化エリア内の緑化ユニットが風等で飛散することを安価に防止することができる。【解決手段】箱形植栽部２０とこれと隣接する箱形植栽部２０とを連係しながら各緑化ユニット１０を敷設箇所に配設して緑化エリアを構成し、押圧片５１と側壁５２と固定片５３とが断面略Ｚ字形に形成されている仕切材５０を緑化エリアの外縁近傍の敷設箇所に固定して、前記押圧片５１で緑化エリアの外縁を上方から押圧する仕切構造を設ける緑化設備とし、更に、必要に応じて仕切材５０と外壁材６０とカバー材７０で囲まれる空間４０を形成し、給水本管４３等を配設する。【選択図】図４
2006246830.tif 000002
【特許請求の範囲】
【請求項１】
緑化ユニットを敷設して形成される緑化エリアの外縁近傍に固定され、緑化エリアと非緑化エリアとを仕切ると共に、緑化エリアの外縁を上方から押圧する押圧片を有することを特徴とする緑化エリアの仕切材。
【請求項２】
前記押圧片から屈曲して下方に延設される側壁と、該側壁下端から屈曲して側方へ延設され、緑化エリアの外縁近傍に固定される固定片とを有することを特徴とする請求項１記載の緑化エリアの仕切材。
【請求項３】
緑化ユニットを敷設して形成される緑化エリアと非緑化エリアとを仕切る仕切構造であって、緑化エリアの外縁近傍に請求項１又は２に記載の仕切材が固定され、該仕切材から所定距離離間して外壁材が配設され、該仕切材と該外壁材との間にカバー材が覆設されることを特徴とする緑化エリアの仕切構造。
【請求項４】
前記仕切材とカバー材と外壁材に囲まれた空間を、配管若しくは配線若しくはその双方を配設する空間とすることを特徴とする請求項４又は５記載の緑化エリアの仕切構造。
【請求項５】
前記仕切材が、その相互間に所定の隙間を形成して配設されていることを特徴とする請求項３又は４記載の緑化エリアの仕切構造。
【請求項６】
緑化ユニットを構成する箱形植栽部の側壁に、該箱形植栽部と隣接する別の箱形植栽部の側壁とを連係する連係構造が設けられ、隣接する箱形植栽部が相互に連係されて緑化エリアが構成されると共に、緑化エリアの外縁近傍に請求項３記載の仕切構造が設けられることを特徴とする緑化設備。
【請求項７】
折板屋根の山部相互間に下地材が架設され、緑化エリアの外縁に対応する位置の下地材に折板屋根の谷部の一部を覆うカバー部が設けられると共に、該下地材上に敷設されることを特徴とする請求項６記載の緑化設備。
【発明の詳細な説明】
【技術分野】
【０００１】
本発明は、建築物の屋上、屋根、ベランダ等に形成する緑化エリアと非緑化エリアとを仕切る仕切材及び仕切構造、並びに仕切材を有する緑化設備に関する。
【背景技術】
【０００２】
建築物の屋上、屋根、ベランダ等に形成する緑化エリアと非緑化エリアとを仕切る仕切構造や緑化設備に関する技術として、特許文献１のバルコニー等の緑化設備がある。特許文献１の緑化設備は、防水処理を施したバルコニー又は屋上の床面の一部に植物を植えた緑化ユニットを載置し、緑化ユニットを載置した載置部とその他の床面との境界部に、前記緑化ユニットより高く且つ上部に載置部側に突出する突出部が形成された仕切部を設け、緑化ユニットと仕切部との隙間を隠すものである。
【０００３】
その他の関連技術として、特許文献２には、陸屋根床面などの床面に敷設され、芝、庭木、花などの植物が植えられる植生マットの周りを囲む庭園フレームで、床面に設けられる断面上向きコ字状のベースと、このベースに上側から嵌まる断面下向きコ字状のカバーとからなり、ベース内に配管を配設するものが開示されている。
【０００４】
【特許文献１】特開平１０−８４７７４号公報
【特許文献２】特開平８−２７５６８５号公報
【発明の開示】
【発明が解決しようとする課題】
【０００５】
ところで、特許文献１の構成は、仕切部やその突出部と緑化ユニットとの間に空間が形成され、仕切部やその突出部と緑化ユニットとが分離して設けられることから、風通しの良い場所など設置した場合に、緑化エリア内に入り込んだ風等で緑化ユニットが飛散してしまう不具合がある。斯様な緑化ユニットの飛散は、仕切部の近傍ではより風の影響を受けやすくなるため、より高い確率で発生する。更に、特許文献２の構成も、植生マットの周りに単に庭園フレームを設けるものであるため、仮に緑化ユニットの周りに庭園フレームを設けた場合、同様に緑化ユニットが飛散する不具合を生ずる。
【０００６】
また、特許文献１の構成は、潅水設備や配線設備を施す場合に、配管や配線を外部に剥き出しに配置するか、或いは別途に配管や配線の経路を形成する必要があるため、美観が損なわれるという不具合もある。他方で、特許文献２の構成は、潅水設備を設ける場合にベース内に配管を配設することができるので、美観が損なわれることを防止することが可能である。しかし、緑化エリアの広さによっては複数の配管や太い配管を配設することが必要になるが、斯様な場合にベースの幅を広くすることが必要となるため、緑化エリアの広さに応じて様々な広さのベースやカバーを用意しなければならなくなり、緑化設備が高コスト化する。
【０００７】
本発明は上記課題に鑑みて提案するものであって、緑化エリア内の緑化ユニットが風等で飛散することを安価に防止することができる緑化エリアの仕切材及び仕切構造、並びに前記仕切材を有する緑化設備を提供することを目的とする。また、本発明の他の目的は、緑化エリアの優れた美観を確保すると共に、緑化エリアの広さに応じた配管や配線の配設に適応する設置スペースを安価に実現することにある。
【課題を解決するための手段】
【０００８】
本発明の緑化エリアの仕切材は、緑化ユニットを敷設して形成される緑化エリアの外縁近傍に固定され、緑化エリアと非緑化エリアとを仕切ると共に、緑化エリアの外縁を上方から押圧する押圧片を有することを特徴とし、又、本発明の緑化エリアの仕切構造は、前記仕切材を有することを特徴とする。前記仕切材は、押圧片から屈曲して下方に延設される側壁と、側壁下端から屈曲して側方へ延設され、緑化エリアの外縁近傍に固定される固定片とを有するものとすると好適であり、更に、例えば押圧片と側壁と固定片とが断面略Ｚ字形に一体として形成されているものとするとより好適である。
【０００９】
また、本発明の緑化エリアの仕切構造は、緑化ユニットを敷設して形成される緑化エリアと非緑化エリアとを仕切る仕切構造であって、緑化エリアの外縁近傍に仕切材が固定され、仕切材から所定距離離間して外壁材が配設され、仕切材と該外壁材との間にカバー材が覆設されることを特徴とする。更に、前記仕切構造は、前記仕切材と外壁材とを同一部材とする構成、或いは前記仕切材とカバー材と外壁材に囲まれた空間を、配管若しくは配線若しくはその双方を配設する空間とする構成、或いは前記仕切材が、その相互間に所定の隙間を形成して配設されている構成とすると好適である。
【００１０】
また、本発明の緑化設備は、緑化ユニットを構成する箱形植栽部の側壁に、該箱形植栽部と隣接する別の箱形植栽部の側壁とを連係する連係構造が設けられ、隣接する箱形植栽部が相互に連係されて緑化エリアが構成されると共に、緑化エリアの外縁近傍に仕切構造が設けられることを特徴とする。前記連係構造は、例えば箱形植栽部の側壁の上端付近に外方へ突出する略鉤形の突出片を形成し、略鉤形突出片を隣接する箱形植栽部の側壁上端或いは前記側壁上端付近に形成された凹部に上方から引っ掛けて係合する構造や、或いは箱形植栽部の側壁外面に凸部を形成し、これと隣接する箱形植栽部の側壁外面に凹部を形成し、凸部と凹部を係合する構造等とすることが可能である。
【００１１】
更に、本発明の緑化設備は、折板屋根の山部相互間に下地材が架設され、緑化エリアの外縁に対応する位置の下地材に折板屋根の谷部の一部を覆うカバー部が設けられると共に、該下地材上に敷設されることを特徴とする。前記下地材は、例えば断面略コ字形のチャンネル部材や四角柱形等の棒材等、更に前記緑化エリアの外縁の対応位置に配設される下地材は、前記棒材に一体若しくは別体でカバー部が形成されたもの等とすることが可能であり、又、カバー部は、例えば谷部の底との間に若干の排水用の隙間が形成される程度の略台形の板状部等とすることが可能である。
【００１２】
尚、本発明には、各発明から部分的な作用効果を奏する限度で構成を削除し、或いは各発明の構成を他の構成に変更し、或いは各発明の構成に他の構成を追加したものも含まれる。
【発明の効果】
【００１３】
本発明では、緑化エリアの外縁近傍に固定され、緑化エリアの外縁を上方から押圧する押圧片を設けることから、仕切材や仕切構造と隣り合う緑化ユニットを押圧片と敷設箇所とで強固に挟持することができ、緑化ユニットが風等で飛散することを防止できる。
【００１４】
また、仕切材を、押圧片から屈曲して下方に延設される側壁と、側壁下端から屈曲して側方へ延設され、緑化エリアの外縁近傍に固定される固定片とを有するものとし、好適には押圧片と側壁と固定片とが断面略Ｚ字形に一体として形成されているものとするとより、形状を単純化し、例えば樹脂の押出成形など安価な製法で製造することができる。
【００１５】
また、仕切構造を、緑化エリアの外縁近傍に固定される仕切材或いは緑化エリアに略接して配設される仕切材と、仕切材から所定距離離間して配設される外壁材と、仕切材と該外壁材との間に覆設されるカバー材とで構成することにより、仕切材と外壁材とカバー材とで囲んで空間を形成する単純な構造で、仕切構造に空間を形成することができる。更に、カバー材の幅を変更するだけで仕切構造や空間の広さを変更することが可能であり、美観や必要性等に応じて仕切構造や空間の広さ調整を安価に行うことができる。
【００１６】
また、仕切材と外壁材とを同一部材とすることにより、別途に外壁材を製造する必要がなくなり、コストダウンを図ることができる。
【００１７】
また、仕切材とカバー材、外壁材に囲まれた空間を配管や配線を配設するための空間とすることにより、美観に優れた緑化エリアを形成することが可能になると共に、収納する配管や配線の量やその配設構造の多様性に応じて、カバー材の幅を変更して空間の幅や広さを増減することが可能であり、緑化エリアの広さに応じた配管や配線の配設等に適応する設置スペースを安価に実現することができる。
【００１８】
また、仕切材を、相互に所定の隙間を形成して配設することにより、仕切構造の空間に配管や配線を設ける場合に、前記隙間から緑化エリア内に配管や配線を導くことが可能となり、仕切材に別途穴開け加工等を施す必要がなくなる。従って、配管や配線等が敷設される緑化設備を、より低コスト化することができる。
【００１９】
また、緑化ユニットを構成する箱形植栽部の側壁に、該箱形植栽部と隣接する別の箱形植栽部の側壁とを連係する連係構造を設け、隣接する箱形植栽部を相互に連係して緑化エリアを構成すると共に、緑化エリアの外縁を押圧片で押圧する仕切構造を設けることにより、緑化ユニット全体を一体化して、緑化エリアや緑化設備の敷設箇所への定着力を一層向上することができ、より確実に緑化ユニットの飛散を防止することができる。
【００２０】
また、折板屋根の山部相互間に架設する下地材上に緑化設備を設け、緑化エリアの外縁に対応する位置の下地材に折板屋根の谷部の一部を覆うカバー部を設けることにより、折板屋根の良好な排水性を確保しつつ、緑化エリアの下方への風の入り込みを抑制することが可能となり、より一層確実に緑化ユニットの飛散を防止することができる。
【発明を実施するための最良の形態】
【００２１】
以下、本発明について緑化設備の実施例に基づき説明する。図１〜図４は第１実施例の緑化設備に関し、図１は仕切材を示す図、図２はカバー材を示す図、図３及び図４は仕切構造を形成した状態を示す図である。
【００２２】
先ず、第１実施例の緑化設備に於ける緑化ユニット１０及び緑化エリアについて説明する。第１実施例に於ける緑化ユニット１０は底面吸水型であり、図３及び図４に示すように、側壁２１と底面２２とを有する上面開放の略箱形である植栽部２０と、植栽部２０の下方に設けられ、側壁３１と底面３２とを有する上面開放の貯水部３０とで構成される。
【００２３】
植栽部２０は、その側壁２１に内向きへこみ部２３が形成されている。隣接する植栽部２０・２０の内向きへこみ部２３・２３相互間で、且つ貯水部３０の側壁３１の上方位置に空間４１が形成され、空間４１に多孔質の給水管４２或いは配線等を配設可能であり、空間４１に給水管４２や配線を配設して優れた美観を確保することができる。
【００２４】
植栽部２０の側壁２１の隣り合う２辺には、側壁２１の略中央上端付近に外方へ突出する略鉤形等の突出片が形成され、側壁２１の他の隣り合う２辺には、側壁２１の略中央上端付近に凹部が形成されており、植栽部２０の突出片を隣り合う植栽部２０の凹部へ係合して、隣り合う植栽部２０・２０相互が連係されている（図示せず）。植栽部２０の底面２２には、余剰水を配水可能で、且つ植物の根に空気を与えるための通水兼通気孔が複数穿設され（図示せず）、又、底面２２には、中空で下端頂面に吸水孔２５が穿設された吸水凸部２４が下方に突出して４つ形成されていると共に、底面下方へ吸水凸部２４よりも僅かに長く突出した脚部２６が形成されている。
【００２５】
植栽部２０には育成材２７が充填され、例えば種子を蒔く・切芝を敷設する・植栽マットを敷設する・植物の苗を施す等により、植物２８が植栽される。育成材２７には、植物２８を栽培可能な適宜のものを用いることが可能であり、例えばパーライト、バーミキュウライト、ピートモス、バーク堆肥、チャフコン、木質腐朽有機物、ゼオライト、下水や浄水場から発生する汚泥、或いは汚泥の焼却灰等とすることができ、又、これらの内の数種類を選定し、必要に応じて根腐れ防止用の珪酸塩白土等を植物の種類、環境等に応じて適宜選定し、これらを保水性、排水性を良好にするためにバランス良く配合したもの、又、これらを単体で若しくは配合して固化しブロック状にした軽量育成材や、スポンジやヤシガラ繊維、不織布等の繊維材等の軽量育成材等としてもよい。前記通気性良好な軽量育成材を育成材２７として採用することにより、植物２８の根が傷むことを防止することができ、又、これらの軽量育成材の重量は客土の約１／３以下であることから、敷設面への荷重負荷を軽減することが可能である。
【００２６】
また、貯水部３０は、低い側壁３１を有するトレー状であり、側壁３１の四辺には側壁上端に外方に突出する鉤形連係部が形成されており、一方の隣り合う２辺には突出する幅が広い幅広連係部３３が形成され、他の隣り合う２辺には突出する幅が狭い幅狭連係部３４が形成されている。貯水部３０の幅狭連係部３４を覆うように隣の貯水部３０の幅広連係部３３を上方から係合することにより、隣り合う貯水部３０・３０相互を連係可能である。
【００２７】
上記植栽部２０は貯水部３０の底面３２に脚部２６を配置して貯水部３０に載置される。植栽部２０を貯水部３０に載置した状態では、吸水凸部２４の下端頂面と貯水部底面３２との間に隙間が形成され、吸水孔２５から良好な吸水を行うことが可能になっている。尚、貯水部側壁３１の上端或いは連係部３３、３４に切欠を設ける、又は貯水部側壁３１の高さを低くする等により、貯水部３０の最大貯水時の水位を植栽部底面２２より下方に位置させる構成とすると、植栽部底面２２と貯水部３０に貯水される水との間に空気層を常時確保し、新鮮な空気を植物２８の根へ与えることが可能になって好適である。
【００２８】
更に、上記植栽部２０と貯水部３０とで構成される緑化ユニット１０を、貯水部３０の連係部３３、３４を係合し且つ植栽部２０の上記突出片と凹部を係合しながら連係して、建築物の屋上・屋根・ベランダ・テラス等の敷設面に複数並べて敷設すると共に、空間４１の貯水部３０・３０の隣接する側壁３１・３１の上方位置等に多孔質の給水管４２を配設し、給水管４２を中心に両側の貯水部３０・３０に水分や養分等を供給可能にして、緑化エリアを構成する。尚、前記給水管４２は、各緑化ユニット１０の貯水部３０に直接給水可能に配設する以外に、例えば敷設面の勾配に応じて上流側に少なくとも１つ以上配設し、貯水部３０の側壁３１上端やその上端に形成された凹部等をオーバーフローさせて全貯水部３０に給水する構成等としてもよい。
【００２９】
そして、上記緑化エリアと非緑化エリアとを仕切る仕切構造が緑化エリアの周縁に配設される。前記仕切構造は図１に示す仕切材５０を有し、仕切材５０は、略水平に設けられる押圧片５１と、押圧片５１の外端縁を下方に屈曲して垂下延設されている側壁５２と、側壁５２の下端縁を外方に屈曲して水平に延設されている固定片５３とで構成される柱状であり、断面視略Ｚ字形に形成されている。
【００３０】
仕切材５０は、緑化ユニット１０の敷設面・敷設箇所或いは仕切材５０の設置箇所に、固定片５３がボルト、アンカーボルト、接着剤等の固定手段で固定され、前記固定状態で、押圧片５１の下面により、緑化エリアの周縁に設けられる植栽部２０の一部、例えば植栽部側壁２１の上端、植栽部２０に充填された育成材２７若しくはそこに植栽された植物２８の緑化エリア周縁近傍、或いはこれらの複数箇所を押圧する構成であり、固定片５３の下面から押圧片５１の下面までの高さは、押圧前は、敷設された緑化ユニット１０の上端部よりも僅かに低く形成されており、固定片５３を設置箇所に固定することにより、押圧片５１で緑化ユニット１０を押圧する構成となっている。緑化エリアの周縁で、配管或いは配線等を配設しない仕切箇所には、上記仕切材５０を配設するのみで仕切構造が完成する。
【００３１】
尚、植栽部２０の押圧される上端箇所が弾性を有する植栽マットや切芝である場合に、柔軟性を持って押圧することが可能になって好適であり、又、押圧片５１の押圧面にシート状等のゴム材など弾性材を設ける構成、又は、仕切材５０若しくは押圧片５１を弾性樹脂材など弾性材で形成することも可能である。
【００３２】
他方で、配管或いは配線等を配設する場合には、緑化エリアの周縁に於ける植栽部２０の隅部或いは植栽部２０の隅部の集合箇所の一部等で、且つ給水管４２等が緑化エリアに引き込まれて配設されていない箇所に、短めの仕切材５０ａを配設し、仕切材５０ａから配管や配線の設置スペースに応じた所定距離だけ外方に離間した位置に、同一部材など仕切材５０と同一形状の外壁材６０を配設する。尚、仕切材５０ａは、少なくとも植栽部２０の隅部で植栽部２０を押圧可能であればよく、前記短めの仕切材５０とする以外に、例えば植栽部２０の側壁２１全体に沿って植栽部２０を押圧する構成等としてもよい。又、前記外壁材６０を配設する所定距離は、配管や配線の太さや量など必要とする設置スペースに応じて変更可能である。
【００３３】
更に、緑化エリアの周縁に於ける植栽部２０の周縁の一部箇所に仕切材５０ａを配設し、仕切材５０ａから所定距離離して外壁材６０を配設することにより、仕切材５０ａと外壁材６０との間の空間４０、即ち、仕切材５０ａの側壁５２の外面と、外壁材６０の側壁６２の内面と、敷設面等とで構成される空間４０に、例えば給水本管４３を配設し、給水本管４３から分岐して給水管４２を空間４１内に導入するなど、配管或いはセンサーや電力等の配線を設置し、仕切材５０ａと外壁材６０との間に上方からカバー材７０を架橋して被せる。前記カバー材７０には、図２に示すように、カバー板７１の内端に仕切材５０ａの押圧片５１の内端縁に係止可能なフック部７２が下方へ屈曲して形成され、カバー板７１の外端に外壁材６０の側壁６２上端を覆いながら係止する屈曲片７３が下方へ屈曲して形成されており、カバー材７０は外壁材６０の側壁６２上端部分（押圧片６１）に、ビス、リベット、両面テープ、接着剤等の固定手段で固定して設けられ、仕切構造が完成する。
【００３４】
尚、出隅、入隅の処理は、図３に示すように、仕切材５０のみの仕切構造の場合に於ける仕切材５０の隅部を、突合箇所の長さが合うように４５度など所定角度にカットし、突き合わせることで処理する。また、配管などが配設される仕切材５０ａ、外壁材６０、カバー材７０で構成される仕切構造と、仕切材５０とを突合する場合には、前記仕切構造の幅に応じて突合箇所の長さが合うように、仕切材５０ａ、外壁材６０、カバー材７０と仕切材５０を所定角度にカットし、突き合わせることで処理する。
【００３５】
上記第１実施例の緑化設備、或いはその仕切構造、仕切材５０、５０ａを使用することにより、緑化エリアの最も風などの影響を受けやすい外周近傍を仕切材５０、５０ａの押圧片５１で上方から押圧することができるため、風などで緑化ユニット１０等が飛散することを防止することができる。特に、緑化エリアの外周以外の内部は風の影響を受けにくいことに加え、第１実施例では、植栽部２０・２０の側壁２１・２１相互間が上記突出部と凹部の係合で連係され、貯水部３０・３０の側壁３１・３１相互間が連係部３３、３４の係合で連係されるため、風などの影響で飛散する可能性は極めて低い。また、例えば植物２８として芝生等の匍匐植物を植栽する構成によっても、植栽部２０・２０を隣り合う側壁２１・２１の上端近傍で芝生のランナー等で連結することができるため、風などの影響で飛散する可能性を低下することができる。換言すれば、仕切箇所で押圧片５３を有する仕切材５０、５０ａなど仕切構造を敷設面と固定状態とすることにより、緑化エリア全体を敷設面や敷設箇所に略固定状態とし、安定して定着させることができる。
【００３６】
また、仕切材５０ａと外壁材６０と敷設箇所或いは敷設面とカバー材７０とで空間を形成する仕切構造とすることにより、配管或いは配線用の空間を確保することができ、美観に優れた緑化エリアを形成することが可能となる。更に、カバー材７０の幅を変更して空間の幅や広さを簡単に調整することができるので、収納すべき配管や配線の量やその配設構造の多様性に容易且つ安価に適応することが可能である。更に、外壁材６０を仕切材５０、５０ａと同一部材とする場合には、別途異なる部材を製造、準備する必要がなくなるため、コストダウンを図ることができる。
【００３７】
以上、第１実施例の緑化設備、及びその仕切構造、仕切材５０、５０ａ等について説明したが、本発明に於ける緑化設備、仕切構造、その仕切材、カバー材、外壁材等の構成や形状は上記第１実施例に限定されるものではなく、例えば以下のような様々な拡張や変形が可能である。
【００３８】
緑化ユニット１０、植栽部２０、貯水部３０は第１実施例に於ける構成以外にも適宜であり、又、緑化ユニットはユニット体であれば適宜であり、例えば植栽部２０のみの緑化ユニット、貯水部３０の側壁３１の上端に植栽部２０の脚部２６を配置して貯水部３０の貯水容量を大きくした緑化ユニット等とすることが可能である。更に、植栽部２０は箱体に育成材２７を充填する構成以外に、例えば固化した育成材２７のみで構成される植栽部２０、繊維材の育成材２７のみで構成される植栽部２０等とすることが可能である。更に、植栽部２０は一つの凹部が形成された一体的な箱体とする構成以外に、例えば複数の箱体を連結リブで連結し、一ユニットに対応して複数の凹部が設けられた植栽部２０、或いは複数の凹部が形成された一体的な箱体の植栽部２０等とすることが可能である。更に、貯水部３０と植栽部２０とを１対１で対応する構成以外に、例えば一つの植栽部２０に対応して複数の貯水部３０を設ける、或いは複数の植栽部２０に対応して一つの貯水部３０を設ける、或いは１対１で対応させずに３個の植栽部２０を２個の貯水部３０に対応させる等、複数の植栽部２０を複数の貯水部３０に対応して設ける構成等とすることが可能である。
【００３９】
また、仕切材５０、５０ａの形状は第１実施例に於ける形状に限定されるものではなく、例えば図５に示す形状としてもよい。図５（ａ）の仕切材５０ｂは、仕切材５０と同様に押圧片５１、側壁５２、固定片５３を備えると共に、固定片５３に凹溝５４が形成され、敷設面に固定するアンカー等を打つ際の穴開け加工時に凹溝５４で穴あけの位置を決定し、幅方向の位置ズレを防止して確実に所定箇所に固定することが可能な構成である。図５（ｂ）の仕切材５０ｃは、仕切材５０と同様に押圧片５１、側壁５２、固定片５３を備えると共に、凹溝５４が形成され、更に、押圧片５１と側壁５２との間に中空筒形の補強部５５が設けられ、押圧片５１による押圧時に押圧片５１が上方へ屈曲する、或いは上方へ大きく屈曲することを防止する構成である。図５（ｃ）の仕切材５０ｄは、仕切材５０と同様に押圧片５１、側壁５２、固定片５３を備えると共に、凹溝５４が形成され、更に、押圧片５１の下面に補強用の突条５６、側壁５２の内面に補強用の複数の突条５７が設けられ、側壁５２の最下端の突条５７は固定片５３を内側へそのまま延設したものとする。前記構成により、固定片５３の安定性が高められると共に、側壁５２、押圧片５１の強度を増加することができる。図５（ｄ）の仕切材５０ｅは、仕切材５０と同様に押圧片５１、側壁５２、固定片５３を備えると共に、凹溝５４が形成され、更に、側壁５２の外方に僅かに突出する複数の突条５８が設けられ、側壁５２から押圧片５１に至る屈曲部５９が肉厚に形成され、又、側壁５２の最下端で固定片５３を内側へそのまま延設して突条５７としているものである。前記構成により、押圧片５１による押圧時に押圧片５１が上方へ屈曲されることを防止することができると共に、側壁５２の強度を増加することができ、更には、デザイン性に優れた仕切材５０ｅを構成することが可能となる。尚、仕切構造として用いる仕切材５０等には、上記構成の仕切材５０等を単独で用いる、又は組み合わせて用いることが可能である。また、これらの仕切材５０〜５０ｅは樹脂等を素材として押出成形などで成形することが可能であり、安価に製造することができる。
【００４０】
また、カバー材７０の形状も第１実施例に於ける形状に限定されるものではなく、例えば図６に示す形状としてもよい。図６（ａ）のカバー材７０ａは、フック部７２と屈曲片７３を有しないカバー板７１だけからなるものであり、製造コストを大幅に低減可能な構成である。尚、カバー板７１にフック部７２又は屈曲片７３の何れか一方のみを設ける構成としてもよい。図６（ｂ）のカバー材７０ｂは、カバー板７１の下面に補強用の複数の突条７４が形成され、強度を高められるようになっている。図６（ｃ）のカバー材７０ｃは、カバー板７１の上面に若干幅広の突条７５が形成されている。前記突条７５により、補強して強度を高められると共に、飾り等として用いることでデザイン性を向上することができる。尚、仕切構造として用いるカバー材７０等には、上記構成のカバー材７０等を単独で用いる、又は組み合わせて用いることが可能である。また、これらのカバー材７０〜７０ｃは、樹脂等を素材とする押出成形或いは曲げ加工などで成形することが可能であり、安価に製造することができる。
【００４１】
また、予め配管や配線の量や構造を認識し、その量や構造に応じたカバー材７０等を製造して用いる構成、或いは幅広のカバー材７０ａ〜７０ｃ等を準備し、現場で必要に応じて切断して幅を調整する構成とする以外に、例えば図７に示すように、仕切材５０ａを固設し、仕切材５０ａから所定距離離して仕切材５０ａと同一形状或いは長さのみ異なる中間仕切材８０をアンカー等で固定して設け、中間仕切材８０から所定距離離して外壁材６０を固定して設け、仕切材５０ａと中間仕切材８０との間、中間仕切材８０と外壁材６０との間に、それぞれ給水本管４３等を配設すると共に、仕切材５０ａと中間仕切材８０との間にカバー材７０ａ等を架橋して仕切材５０ａの押圧片５１の上面と中間仕切材８０の押圧片８１の上面にボルト締め等で固設し、中間仕切材８０と外壁材６０との間にカバー材７０ａ等を架橋して中間仕切材８０の押圧片８１の上面と外壁材６０の押圧片６１の上面にボルト締め等で固設する構成としてもよく、更には、仕切材５０ａと中間仕切材８０との間の距離と、中間仕切材８０と外壁材６０との間の距離を同一とし、同一幅のカバー材７０を並設する構成等としてもよい。前記構成により、配管や配線の量や構造に応じて柔軟に仕切構造内の空間量を調整することが可能であると共に、仕切構造の構成部材の種類を減らし、在庫管理の労力や製造コストを低減することができる。更に、中間仕切材８０の存在により、カバー材７０ａの上方からの踏圧などの力に対して強度が増し、カバー材７０ａを薄く形成することができ、コストダウンに繋がる。
【００４２】
尚、図７の構成では、一番内側の仕切材５０ａは給水本管４３から緑化エリア内に導入される給水管４２が横切らない箇所に配設され、中間仕切材８０も同様に給水管４２が横切らない箇所に配設され、外壁材６０は外周側面を全て覆うように配設されるようになっており、例えば外側の給水本管４３と内側の給水本管４３の両方から給水管４３が導入される箇所に配設される仕切材５０ａは、仕切材５０ａ相互間等に給水管４２の導入に必要な隙間を形成するために、長さが短く形成され、必要に応じて数多く配設され、外側の給水本管４３から給水管４２が導入される箇所に配設される中間仕切材８０は、仕切材５０ａより長さが長く形成され、必要に応じて仕切材５０ａより数少なく配設される。
【００４３】
また、仕切材５０等、外壁材６０、カバー材７０等は別体として構成する以外に、全て或いは一部を一体化した部材を用いてもよく、例えば仕切材５０等とカバー材７０等を一体形成、或いはカバー材７０等と外壁材６０を一体形成、或いは仕切材５０等と外壁材６０とカバー材７０等を一体形成した部材を用いることが可能である。
【００４４】
また、上記仕切材５０等、外壁材６０、中間仕切材８０の固定片５３、６３、８３は、施工性の考慮から外方に屈曲して延設する構成としたが、例えば意匠上の配慮から、固定片５３、６３、８３、特に外壁材６０の固定片６３を内方へ屈曲して延設し、断面コ字形の仕切材５０等、外壁材６０、中間仕切材８０としてもよく、前記構成により、仕切構造や緑化設備の美観を高められる。
【００４５】
また、板状のカバー材７０等とする他に、例えば仕切材５０等と外壁材６０との間に配線或いは配管を施し、それらの上からカバー材として砂利等を充填して被覆するようにすることも可能であり、前記構成により、緑化設備やその仕切構造の優れた美観が得られる。尚、カバー材として、砂利等の他に、木材、石材、ゴム板、ゴムチップ等を充填或いは敷設することも可能であり、又、配管や配線と敷設面との間に、発泡材等の下地材を配設してから、前記のようなカバー材で覆う構成としてもよい。
【００４６】
また、緑化エリアの仕切構造は、例えば図８及び図９に示す山部１０１と谷部１０２が交互に連設される折板屋根１００など、下方から風等の影響を受けやすい箇所に緑化エリアを形成する場合に用いると一層有効である。尚、超高層ビルの屋上やベランダなど風の強い場所でも同様に有効性が高い。
【００４７】
図８、図９の第２実施例の緑化設備に関し、ハゼタイプの折板屋根１００には、山部１０１・１０１相互間にハゼ１０３の頂部よりも上面が高くなる下地の棒材１０４が架橋される。棒材１０４は、断面コ字形のチャンネル部材であり、山部１０１・１０１の頂面に下方が開口するように配設されて接着剤や両面テープ等で固定される。前記棒材１０４の構成により、材料費や製造費を低減することが可能になると共に、後述する仕切構造との固定も容易となる。また、緑化エリアの周縁に位置する最外端の棒材１０４ａには、折板屋根１００の谷部１０２の形状に合う略台形のカバー部１０５が一体で形成され或いは別体で設けられ、カバー部１０５で風の進入を防止することが可能であると共に、カバー部１０５の最下部と谷部１０２の最下部との間に開口１０６が形成され、開口１０６から排水可能になっている。そして、固定された棒材１０４、１０４ａ上に緑化ユニット１０が配設され緑化エリアが構成されると共に、緑化エリアの周縁に仕切材５０、５０ａ、外壁材６０、カバー材７０等で構成される仕切構造が設けられ、仕切材５０、５０ａ、外壁材６０は適宜箇所の棒材１０４、１０４ａにビスなどで固定される。前記緑化エリアは、排水の必要性から開口１０６を設けることが不可欠となるが、開口１０６から進入する風で緑化ユニット１０に風力が負荷されても、前記仕切構造により、飛散を防止することができる。
【００４８】
また、緑化エリアの仕切構造を、仕切構造の端部相互を隣接して突き合わせる構成以外に、例えば仕切構造の端部相互を離間して集合させるようにして配設してもよい。更に、仕切構造の端部相互の突き合わせ箇所や集合箇所では、例えば仕切構造の端部相互を接続板を介して接続する構成や、或いはカバー材で被覆する構成等とすることが可能である。
【産業上の利用可能性】
【００４９】
本発明は、例えば建築物の屋上、屋根、ベランダ等に緑化ユニットを敷設して緑化エリアを形成する際に、緑化エリアと非緑化エリアとを仕切る場合に利用することができる。
【図面の簡単な説明】
【００５０】
【図１】（ａ）は第１実施例の緑化設備に於ける仕切材の斜視図、（ｂ）はその平面図、（ｃ）はその左側面図、（ｄ）はその正面図。
【図２】（ａ）は第１実施例の緑化設備に於けるカバー材の斜視図、（ｂ）はその平面図、（ｃ）はその左側面図、（ｄ）はその正面図。
【図３】第１実施例の緑化設備を示す平面図。
【図４】（ａ）は第１実施例の緑化設備を示す縦断面図、（ｂ）はその左端近傍の部分縦断面図、（ｃ）はその右端近傍の部分縦断面図。
【図５】（ａ）は第２例の仕切材の斜視図、（ｂ）は第３例の仕切材の斜視図、（ｃ）は第４例の仕切材の斜視図、（ｄ）は第５例の仕切材の斜視図。
【図６】（ａ）は第２例のカバー材の斜視図、（ｂ）は第３例のカバー材の斜視図、（ｃ）は第４例のカバー材の斜視図。
【図７】別例の仕切構造を形成した状態を示す縦断面図。
【図８】折板屋根に形成される第２実施例の緑化設備を示す平面図。
【図９】折板屋根に形成される第２実施例の緑化設備を示す縦断面図。
【符号の説明】
【００５１】
１０  緑化ユニット
２０  植栽部
３０  貯水部
２１、３１  側壁
２２、３２  底面
２３  内向きへこみ部
２７  育成材
２８  植物
３３、３４  連係部
４０、４１  空間
４２  給水管
４３  給水本管
５０、５０ａ、５０ｂ、５０ｃ、５０ｄ、５０ｅ  仕切材
６０  外壁材
８０  中間仕切材
５１、６１、８１  押圧片
５２、６２、８２  側壁
５３、６３、８３  固定片
６０  外壁材
７０、７０ａ、７０ｂ、７０ｃ  カバー材
７１  カバー板
７２  フック部
７３  屈曲片
１００  折板屋根
１０３  ハゼ
１０４、１０４ａ  棒材
１０５  カバー部
１０６  開口
【図１】
2006246830.tif 000003
【図２】
2006246830.tif 000004
【図３】
2006246830.tif 000005
【図４】
2006246830.tif 000006
【図５】
2006246830.tif 000007
【図６】
2006246830.tif 000008
【図７】
2006246830.tif 000009
【図８】
2006246830.tif 000010
【図９】
2006246830.tif 000011